(57)【要約】      （修正有）【課題】光ファイバーケーブルの収納スペースの大小に影響されることなく、容易且つ確実に光ファイバーケーブルの最小曲げ半径以上の径を維持した円弧を作成することができる光ファイバーケーブルガイドを提供する。【解決手段】複数の所定の長さを有する板状の支持部材１と、支持部材１を所定の間隔を隔てて複数個連結する連結部材２と、各支持部材１に設けられ、光ファイバーケーブル６に取り付けられて保持される取付け保持部３と、各支持部材１に設けられた貫通した固定穴４と、固定穴４に挿入され、支持部材１を固定する固定部材５，５′とを具備することを特徴とする。【選択図】図２
2006301204.tif 000002
【特許請求の範囲】
【請求項１】
複数の所定の長さを有する板状の支持部材と、
前記支持部材を所定の間隔を隔てて複数個連結する連結部材と、
前記各支持部材に設けられ、光ファイバーケーブルに取り付けられて保持される取付け保持部と、
前記各支持部材に設けられた貫通した固定穴と、
前記固定穴に挿入され、前記支持部材を固定する固定部材と
を具備することを特徴とする光ファイバーケーブルガイド。
【請求項２】
複数の支持部材の取付け保持部が、光ファイバーケーブルの余長部分の長さ方向に沿って取り付けられ、光ファイバーケーブルを最小曲げ半径以上の径で円環状に固定支持することを特徴とする請求項１に記載の光ファイバーケーブルガイド。
【請求項３】
光ファイバーケーブルにより一巻き以上（巻き回数ｎ）の円環状を形成したときに４ｎ＋１個の支持部材を使用することを特徴とする請求項２に記載の光ファイバーケーブルガイド。
【請求項４】
固定穴を中心に隣接する支持部材同士を、９０度垂直方向に重ねていき、支持部材の重ねられた部分を十字型に形成することを特徴とする請求項２又は３に記載の光ファイバーケーブルガイド。
【請求項５】
支持部材は、支持部材を９０度垂直方向に重ねるための凸状の９０度垂直ガイドが設けられることを特徴とする請求項４に記載の光ファイバーケーブルガイド。
【請求項６】
固定部材は、光ファイバーケーブルの最小曲げ半径以上の径で円環を形成している支持部材を固定し、光ファイバーケーブルの円環部の直径以上の直径よりなる円板状の保護カバーが設けられることを特徴とする請求項２乃至５のいずれかに記載の光ファイバーケーブルガイド。
【請求項７】
固定穴は、多角形の形状をしていることを特徴とする請求項１乃至６のいずれかに記載の光ファイバーケーブルガイド。
【請求項８】
取付け保持部は、光ファイバーケーブルを掴むＣ形の形状で光ファイバーケーブルに取り付けられることを特徴とする請求項１乃至７のいずれかに記載の光ファイバーケーブルガイド。
【請求項９】
支持部材、連結部材及び取付け保持部は、軽量で且つ柔軟な樹脂材料で形成されることを特徴とする請求項１乃至８のいずれかに記載の光ファイバーケーブルガイド。
【請求項１０】
複数の所定の長さを有する板状の支持部材と、
前記支持部材が所定の間隔を隔てて複数個連結され、光ファイバーケーブルに取り付けられて保持される管状のＣ形チューブよりなる取付け保持連結部材と、
前記各支持部材に設けられた貫通した固定穴と、
前記固定穴に挿入され、前記支持部材を固定する固定部材と
を具備することを特徴とする光ファイバーケーブルガイド。
【発明の詳細な説明】
【技術分野】
【０００１】
本発明は、光ファイバーケーブルの敷設時に発生する余長部分を処理する等のために用いられる光ファイバーケーブルガイドに関するものである。
【背景技術】
【０００２】
最近、各家庭へ光通信サービスが普及してきており宅内の情報分電盤への光通信装置の備え付けが増えてきている。そうした中、屋外より引き込まれた光ファイバーケーブルと宅内の光通信装置との接続時に発生する光ファイバーケーブルの余長部分を処理するため、光ファイバーケーブル余長収納体や光通信装置毎に備え付けられている専用の余長処理装置、また光ファイバーケーブルを結束するケーブルタイなどの結束バンドによる固定、または処理を施さずそのまま情報分電盤への収容などが行なわれている。
【特許文献１】特開２００１−５３４６５号公報
【特許文献２】特開２００２−２２９７０号公報
【特許文献３】特開平８−２２２８６６号公報
【発明の開示】
【発明が解決しようとする課題】
【０００３】
従来の宅内における光ファイバーケーブルの余長処理は以上のように、専用の余長処理装置やケーブルタイを使用しているが、前者の余長処理装置の場合、各宅内の情報分電盤の収容スペースによっては、余長処理装置を収容設置するスペースが確保できずに情報分電盤内で余長処理を行なうことができない。また後者のケーブルタイによって集束する場合には、光ファイバーケーブルの最小曲げ半径（許容曲げ半径）以上に集束された束を作業員の感覚によって形成しなくてはならず光ファイバーケーブルの最小曲げ半径を確実に確保することは困難である。光ファイバーケーブルは光伝送損失及び光ファイバーの歪みの発生を防ぐために、光ファイバーの種類に応じて所定の許容曲げ半径が定められている。透明石英ガラスなどを延伸して製作されている光ファイバーケーブルは、曲げ応力に対して物理的な限界があり、光ファイバーケーブルの種類毎に最小曲げ半径が保障されている。その最小曲げ半径を確保できないと光ファイバーケーブルに局部的な荷重がかかり、光ファイバーケーブルを折損するおそれがある。
【０００４】
本発明は上記の事情に鑑みてなされたもので、光ファイバーケーブルの収納スペースの大小に影響されることなく、誰もが容易且つ確実に光ファイバーケーブルの最小曲げ半径以上の径を維持した円弧を作成することができる光ファイバーケーブルガイドを提供することを目的とする。
【課題を解決するための手段】
【０００５】
上記目的を達成するために本発明は、複数の所定の長さを有する板状の支持部材と、前記支持部材を所定の間隔を隔てて複数個連結する連結部材と、前記各支持部材に設けられ、光ファイバーケーブルに取り付けられて保持される取付け保持部と、前記各支持部材に設けられた貫通した固定穴と、前記固定穴に挿入され、前記支持部材を固定する固定部材とを具備することを特徴とするものである。
【０００６】
また本発明は、前記光ファイバーケーブルガイドにおいて、複数の支持部材の取付け保持部が、光ファイバーケーブルの余長部分の長さ方向に沿って取り付けられ、光ファイバーケーブルを最小曲げ半径以上の径で円環状に固定支持することを特徴とするものである。
【０００７】
また本発明は、前記光ファイバーケーブルガイドにおいて、光ファイバーケーブルにより一巻き以上（巻き回数ｎ）の円環状を形成したときに４ｎ＋１個の支持部材を使用することを特徴とするものである。
【０００８】
また本発明は、前記光ファイバーケーブルガイドにおいて、固定穴を中心に隣接する支持部材同士を、９０度垂直方向に重ねていき、支持部材の重ねられた部分を十字型に形成することを特徴とするものである。
【０００９】
また本発明は、前記光ファイバーケーブルガイドにおいて、支持部材は、支持部材を９０度垂直方向に重ねるための凸状の９０度垂直ガイドが設けられることを特徴とするものである。
【００１０】
また本発明は、前記光ファイバーケーブルガイドにおいて、固定部材は、光ファイバーケーブルの最小曲げ半径以上の径で円環を形成している支持部材を固定し、光ファイバーケーブルの円環部の直径以上の直径よりなる円板状の保護カバーが設けられることを特徴とするものである。
【００１１】
また本発明は、前記光ファイバーケーブルガイドにおいて、固定穴は、多角形の形状をしていることを特徴とするものである。
【００１２】
また本発明は、前記光ファイバーケーブルガイドにおいて、取付け保持部は、光ファイバーケーブルを掴むＣ形の形状で光ファイバーケーブルに取り付けられることを特徴とするものである。
【００１３】
また本発明は、前記光ファイバーケーブルガイドにおいて、支持部材、連結部材及び取付け保持部は、軽量で且つ柔軟な樹脂材料で形成されることを特徴とするものである。
【００１４】
また本発明の光ファイバーケーブルガイドは、複数の所定の長さを有する板状の支持部材と、前記支持部材が所定の間隔を隔てて複数個連結され、光ファイバーケーブルに取り付けられて保持される管状のＣ形チューブよりなる取付け保持連結部材と、前記各支持部材に設けられた貫通した固定穴と、前記固定穴に挿入され、前記支持部材を固定する固定部材とを具備することを特徴とするものである。
【００１５】
本発明の光ファイバーケーブルガイドは、光ファイバーケーブルの余長部分の処理において最小曲げ半径以上の径を有する円弧を容易且つ強制的・定量的に形成することもできるし、単体もしくは複数体を組み合わせることで、連続した円弧の形成や光ファイバーケーブルの最小曲げ半径以上の径を有したカーブを形成でき半円形・扇形の自在なルート強制を可能とする。本発明は、光ファイバーケーブルの余長処理における円弧形成を、必要最小限の部材で実現できる構成としており、情報分電盤内のスペースに適した専用の余長処理装置を用意せずとも省スペース設置（収納）が可能である。本発明は、作業員の感覚に頼らず容易に光ファイバーケーブルの最小曲げ半径以上の円弧を形成することを実現するために、各支持部材を所定の間隔で連結しており、支持部材の一端に設けられた固定穴を中心軸に各支持部材を固定することで最小曲げ半径以上の径を有する円弧を形成することが可能である。本発明は、５つの長円体の形状をした支持部材で構成されており、隣接する支持部材が９０度垂直方向に固定穴を軸として十字型で重ねられて固定されることで余長処理円弧を形成し、固定された支持部材によって、その余長処理された円弧部分の形状を保持し、円弧周縁に掛かる予期し得ない応力から円環が撓むことを予防する。また固定部は、円板状の底板を有する成型物としその径を光ファイバーケーブルの余長処理円環部の径よりも若干大きなものとすることで、余長処理部を情報分電盤へ収納するときに扉に挟んでしまったりすることなどの予期し得ない衝撃による余長処理部の光ファイバーケーブルを保護するよう構成されているものである。
【発明の効果】
【００１６】
本発明は、光ファイバーケーブルの収納スペースの大小に影響されることなく、誰もが容易且つ確実に光ファイバーケーブルの最小曲げ半径以上の径を維持した円弧を作成することができる。
【００１７】
したがって、例えば光ファイバーケーブルの敷設時に発生する余長部分の処理に効果的である。
【００１８】
すなわち、光ファイバーケーブルの最小曲げ半径以上の径を有する円環を確実にしかも容易に確保できる。その理由は、本発明の光ファイバーケーブルガイドは、光ファイバーケーブル余長部分に沿わせて容易に取り付けでき、取り付け後、各支持部材に設けてある固定穴を中心に、各支持部材を固定するだけで最小曲げ半径以上の径を有する円環状の光ファイバーケーブル余長処理部分を形成するからである。そのため光ファイバーケーブル余長処理を実施する作業者の感覚に頼ることなく一律で美観に優れた円環状の光ファイバーケーブル余長処理を施すことが可能である。更に、複数個組み合わせた光ファイバーケーブルガイドを使用することにより、光ファイバーケーブルの余長部分の長さに応じた余長処理を行なうことが可能である。
【００１９】
また本発明は、光ファイバーケーブル余長収納体や光通信装置毎に備え付けられている専用の余長処理装置を要さず、且つタイラップ（結束バンド）よりも高い精度での最小曲げ半径以上の径を有する円環状での光ファイバーケーブル余長処理が可能である。その理由は、本発明の光ファイバーケーブルガイドは、光ファイバーケーブルの最小曲げ半径以上の径を有する円環を形成するために必要となる最小限の部材構成としており、タイラップ等の結束バンドと同じ様に光ファイバーケーブル余長処理を施した部分をそのまま情報分電盤内へ収納できるからである。そのため光ファイバーケーブル余長収納体や光通信装置の専用余長処理装置と異なり、宅内の情報分電盤内の空き収容スペースにあまり依存せず収納することが可能である。更に光ファイバーケーブルガイドの支持部材が十字型に固定されることで円環の維持を支持し、固定部材が光ファイバーケーブル余長処理周縁部を保護する場合では、処理を施さずにそのまま情報分電盤へ収容する手段よりも格段、光ファイバーケーブルを折損などの事故から保護する仕組みを有している。
【発明を実施するための最良の形態】
【００２０】
以下図面を参照して本発明の実施の形態例を詳細に説明する。
［実施形態例１］
図１は本発明の実施形態例１に係る光ファイバーケーブルガイドを示す斜視図である。図１において、支持部材１は、軽量で且つ柔軟な汎用樹脂などの材料を用い所定の厚みを持たせた板状で長円状に形成される。前記支持部材１の長辺方向の長さは、光ファイバーケーブルの最小曲げ半径以上の径を有する円弧が形成される所定の長さになっている。軽量で且つ柔軟な汎用樹脂などの材料を用いた棒状の連結部材２には５個の支持部材１が所定の間隔を隔てて連結される。各支持部材１は長辺方向の後端近傍が連結部材２に取り付けられる。前記連結部材２は光ファイバーケーブルの最小曲げ半径以上の径を有する円環の円周長を形成するように所定の長さに形成される。前記支持部材１は長辺方向の後端に光ファイバーケーブルを掴むようにＣ形の形状よりなる取付け保持部３が一体に設けられる。前記取付け保持部３は軽量で且つ柔軟な汎用樹脂などの材料を用いて形成される。前記支持部材１は長辺方向の先端近傍に多角形よりなる貫通した固定穴４が設けられる。前記固定穴４は光ファイバーケーブルを最小曲げ半径以上の径を有する円環に形成する際に、前記支持部材１を一つに重ねるためのガイドとなる。固定部凹５は円板の中心部に多角筒を一体に設けて構成され、固定部凸５′は円板の中心部に円柱を一体に設けて構成される。前記固定部凹５は５個の支持部材１が重ねられた貫通した固定穴４の一方から挿入され、前記固定部凸５′は５個の支持部材１が重ねられた貫通した固定穴４の他方から前記固定部凹５の多角筒中に挿入される。
【００２１】
図２は本発明の実施形態例１に係る光ファイバーケーブルガイドの使用状態を示す斜視図である。図１に示すような光ファイバーケーブルガイドの各取付け保持部３は光ファイバーケーブル６の余長部分に掴むようにして取り付けられて保持される。５個の支持部材１は固定穴４を中心として光ファイバーケーブル６の余長部分が一巻きの円環状になるようにガイドしながら十字型に重ねられ、５個の支持部材１が重ねられた貫通した固定穴４には固定部凹５及び固定部凸５′が両側から支持部材１を挟むように挿入して５個の支持部材１を固定するように取り付けられる。この場合、連結部材２は変形する。
【００２２】
図３（ａ），（ｂ），（ｃ）は本発明の実施形態例１に係る光ファイバーケーブルガイドの使用方法を示す斜視図である。図３（ａ）に示すように、連結部材２に連結された５個の支持部材１を下から順に支持部材Ａ，Ｂ，Ｃ，Ｄ，Ｅとする。前記支持部材Ａ，Ｂ，Ｃ，Ｄ，Ｅにそれぞれ設けられた取付け保持部３は、光ファイバーケーブル６の余長部分の長さ方向に沿わせて連結部２が撓まないようにして取り付けられる。続いて図３（ｂ）に示すように支持部材Ａに設けられた固定穴４に固定部凹５を挿入して取り付けた後、固定部凹５を中心軸として、支持部材Ｂ，Ｃ，Ｄ，Ｅの順に固定穴４を固定部凹５に挿入するようにして、隣接する支持部材１の長辺方向が９０度になるよう重ねて行き、図３（ｃ）に示すように各支持部材Ａ，Ｂ，Ｃ，Ｄ，Ｅの重ねられた部分が十字型に形成され、取付け保持部３で掴まれた光ファイバーケーブル６の余長部分もそれに連動して強制的にガイドされて円弧を描くこととなり円環が形成される。そして形成された光ファイバーケーブル６の余長部分の円環を保持している各支持部材１に取り付けられた固定部凹５に、固定部凸５′を挿入して装着することで光ファイバーケーブルの最小曲げ半径以上の径を有する一巻きの円環状の余長処理部分を容易に形成し固定支持することを可能とする。
【００２３】
前記支持部材Ｂ，Ｃ，Ｄ，Ｅには、隣接する支持部材１の長辺方向が９０度になるよう重ねるときに重ね易いよう支持部材１の下面に凸状の９０度垂直ガイド７が設けられており、作業性を向上させる効果が得られる。また、光ファイバーケーブル６の余長部分に形成した余長処理部分を支持する支持部材１の周縁方向への捩れを抑制するために固定穴４を多角形の形状としているが、それによっても同様の効果が得られる。なお、各支持部材Ａ，Ｂ，Ｃ，Ｄ，Ｅの多角形固定穴４は隣接する支持部材１で９０度回転した形状に形成される。
【００２４】
本発明の実施形態例１に係る光ファイバーケーブルガイドによれば、余長収納体とは異なり収納箱を有さず、その余長処理部分は比較的スペースを取らずに済むことから余長処理後は、そのまま情報分電盤内へ収納し、限られたスペースでも柔軟に余長処理を行なうことが可能である。
【００２５】
［実施形態例２］
図４（ａ）は本発明の実施形態例２に係る光ファイバーケーブルガイドを示す斜視図であり、図４（ｂ）は本発明の実施形態例２に係る光ファイバーケーブルガイドの使用状態を示す斜視図である。
【００２６】
図４（ａ）において、支持部材１１は、軽量で且つ柔軟な汎用樹脂などの材料を用い所定の厚みを持たせた板状で長円状に形成される。前記支持部材１１の長辺方向の長さは、光ファイバーケーブルの最小曲げ半径以上の径を有する円弧が形成される所定の長さになっている。軽量で且つ柔軟な汎用樹脂などの材料を用いた管状のＣ形チューブの取付け保持連結部材１２には５個の支持部材１１が所定の間隔を隔てて連結される。各支持部材１１は長辺方向の後端が取付け保持連結部材１２に取り付けられる。前記取付け保持連結部材１２は光ファイバーケーブルの最小曲げ半径以上の径を有する円環の円周長を形成するように所定の長さに形成される。前記取付け保持連結部材１２は軽量で且つ柔軟な汎用樹脂などの材料を用いて形成される。前記支持部材１１は長辺方向の先端近傍に多角形よりなる貫通した固定穴１４が設けられる。前記固定穴１４は光ファイバーケーブルを最小曲げ半径以上の径を有する円環に形成する際に、前記支持部材１１を一つに重ねるためのガイドとなる。
【００２７】
図４（ｂ）に示すような光ファイバーケーブルガイドの取付け保持連結部材１２は光ファイバーケーブル１６の余長部分に外被を覆うようにして取り付けられる。５個の支持部材１１は固定穴１４を中心として取付け保持連結部材１２が一巻きの円環状になるようにガイドしながら十字型に重ねられ、５個の支持部材１１が重ねられた貫通した固定穴１４には図１に示すような固定部凹５及び固定部凸５′が両側から支持部材１１を挟むように挿入して取り付けられる。この場合、取付け保持連結部材１２はチューブを使用することで、折損事故などから光ファイバーケーブルを保護するシース材としての効果が得られる。
【００２８】
図５（ａ）は本発明の実施形態例２に係る光ファイバーケーブルガイドの他の例を示す斜視図であり、図５（ｂ）は本発明の実施形態例２に係る光ファイバーケーブルガイドの他の例の使用状態を示す斜視図である。
【００２９】
すなわち、光ファイバーケーブル１６の余長部分に図４（ａ）の光ファイバーケーブルガイドを２個以上連続して取り付けることにより、光ファイバーケーブル１６の余長部分を二巻き以上の円環を形成して処理することができる。この場合、取付け保持連結部材１２に取付け保持連結部材延長部分８を設けていることにより、二巻き以上の円環を形成する際に、光ファイバーケーブルガイドを連続して取り付けるための目安とすることで、複数個の一律な径を有する円環を手作業にて容易に形成することが可能である。なお、取付け保持連結部材延長部分８の長さは、二巻き以上の円環を連続して形成するために必要となる支持部材１１を連結する間隔を考慮している。
【００３０】
［実施形態例３］
図６（ａ）は本発明の実施形態例３に係る固定部凸を示す正面図及び斜視図、図６（ｂ）は本発明の実施形態例３に係る固定部凹を示す正面図及び斜視図、図６（ｃ）は本発明の実施形態例３に係る固定部材の使用状態を示す斜視説明図、図６（ｄ）は本発明の実施形態例３に係る固定部材の使用状態を示す側面説明図である。
【００３１】
図６（ａ）〜（ｄ）に示すように、固定部凹２５及び固定部凸２５′よりなる固定部材は、光ファイバーケーブル６の最小曲げ半径以上の径で円環を形成している支持部材１を固定する。前記固定部凹２５は円板の中心部に多角筒を一体に設けて構成され、固定部凸２５′は円板の中心部に円柱を一体に設けて構成される。前記固定部凸２５′は円板の直径ｌを光ファイバーケーブル６の円環部の直径以上とした円板状の保護カバーが設けられる。また固定部凹２５は円板の直径ｌを光ファイバーケーブル６の円環部の直径以上とした円板状の保護カバーが設けられる。
【００３２】
すなわち、光ファイバーケーブルの余長処理部分の保護カバー機能付き固定部である。固定部凹２５及び固定部凸２５′のように円板部分を、光ファイバーケーブルガイドを取り付けて形成される光ファイバーケーブルの円環の外形よりも大きな径とすることで、光ファイバーケーブルの余長処理部分への外部からの予期し得ない応力により撓んだり、損傷したりする影響を極力少なくし、情報分電盤への収納時に光ファイバーケーブルの余長処理部分を扉で挟むなどの光ファイバーケーブルの折損の事故を抑止し保護する機能を有している。また、固定部凹２５及び固定部凸２５′の材質は、汎用樹脂であることを基本とするがより高い強度を得るために金属材としてもよい。
【００３３】
［実施形態例４］
実施形態例１及び３では、光ファイバーケーブルの余長部分を、一巻きの円環を形成し且つ最小曲げ半径以上の径を確保した形で固定支持することを示したが、余長処理を必要とする光ファイバーケーブルの長さは様々であり、余長を長く取るために二巻き以上の円環の形成もしくはルートの強制などが必要になることが考えられる。
【００３４】
図７（ａ），（ｂ），（ｃ）は本発明の実施形態例４に係る光ファイバーケーブルガイドの応用使用例を示す正面図である。図７（ａ）は、図１に示すような１個の光ファイバーケーブルガイドを使用して、光ファイバーケーブルに最小曲げ半径以上の径を確実に確保した半円形のルートを強制的に形成したものである。図７（ｂ）は、図１に示すような１個の光ファイバーケーブルガイドを使用して、光ファイバーケーブルに最小曲げ半径以上の径を確実に確保した扇形のルートを強制的に形成したものである。図７（ｃ）は、図１に示すような２個の光ファイバーケーブルガイドを使用して、１本の光ファイバーケーブルに最小曲げ半径以上の径を確実に確保した半円形のルートを２箇所強制的に形成したものである。このように、１個もしくは複数個の光ファイバーケーブルガイドを使用して、光ファイバーケーブルの最小曲げ半径以上の径を確実に確保した半円形、扇形などの自在なルート強制に使用することが可能である。
【００３５】
［実施形態例５］
図８（ａ），（ｂ），（ｃ）は本発明の実施形態例５に係る光ファイバーケーブルガイドの応用使用例を示す展開斜視図、斜視説明図、側面説明図である。
図８（ａ），（ｂ），（ｃ）に示すように、光ファイバーケーブルガイドは連結部材２に９個の支持部材１が所定の間隔を隔てて連結され、各連結部材２には取付け保持部３及び固定穴４が設けられる。このように、９個の支持部材１が連結された光ファイバーケーブルガイドを用いることにより、光ファイバー６に径が一律な連続した２巻きの円環を形成することができる。
【００３６】
このように、光ファイバーケーブルに径が一律な連続した円環を形成するときに一巻きの円環を形成する光ファイバーケーブルガイドを、複数個使用せずとも、光ファイバーケーブルに２巻きの円環を形成する場合には９個の支持部材を有する光ファイバーケーブルガイドを使用し、光ファイバーケーブルに３巻きの円環を形成する場合には１３個の支持部材を有する光ファイバーケーブルガイドを使用するというように、光ファイバーケーブルの円環の巻き回数（ｎ）に対して４ｎ＋１個の支持部材を有する光ファイバーケーブルガイドとすることで、光ファイバーケーブルの最小曲げ半径以上の径を有する一律な円環を連続して形成するために使用することができる。
【００３７】
［実施形態例６］
図９（ａ），（ｂ），（ｃ）は本発明の実施形態例６に係る光ファイバーケーブルガイドを示し、（ａ）は支持部材Ａの拡大斜視図、（ｂ）は展開斜視図、（ｃ）は使用例の斜視説明図である。図９（ａ）〜（ｃ）に示すように、連結部材２には５個の支持部材１が連結され、下から順に支持部材Ａ，Ｂ，Ｃ，Ｄ，Ｅとする。前記支持部材Ａの先端近傍には固定部９が設けられる。前記固定部９は図９（ａ）に示すように、四角柱にスリット９０１が設けられ、先端部に外側に突出した係止部９０２が設けられて構成される。前記支持部材Ｂ，Ｃ，Ｄ，Ｅのそれぞれ先端近傍には前記固定部９が挿入係止される四角状の固定穴４が設けられる。前記支持部材Ａ，Ｂ，Ｃ，Ｄ，Ｅにそれぞれ設けられた取付け保持部３は、光ファイバーケーブル６の余長部分の長さ方向に沿わせて連結部２が撓まないようにして取り付けられる。次に、支持部材Ａに設けられた固定部９には固定部９を中心軸として、支持部材Ｂ，Ｃ，Ｄ，Ｅの順に固定穴４が挿入係止され、隣接する支持部材１の長辺方向が９０度になるよう重ねて行き、図９（ｃ）に示すように各支持部材Ａ，Ｂ，Ｃ，Ｄ，Ｅの重ねられた部分が十字型に形成され、取付け保持部３で掴まれた光ファイバーケーブル６の余長部分もそれに連動して強制的にガイドされて円弧を描くこととなり円環が形成される。このように、一巻き程度の円環状の余長処理であれば、固定部９を支持部材１自体に形成することにより光ファイバーケーブルの最小曲げ半径以上の径を有する一巻きの円環状の余長処理部分を容易に形成し固定支持することを可能とする。
【００３８】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３９】
【図１】本発明の実施形態例１に係る光ファイバーケーブルガイドを示す斜視図である。
【図２】本発明の実施形態例１に係る光ファイバーケーブルガイドの使用状態を示す斜視図である。
【図３】本発明の実施形態例１に係る光ファイバーケーブルガイドの使用方法を示す斜視図である。
【図４】本発明の実施形態例２に係る光ファイバーケーブルガイドを示す斜視図である。
【図５】本発明の実施形態例２に係る光ファイバーケーブルガイドの他の例を示す斜視図である。
【図６】（ａ）は本発明の実施形態例３に係る固定部凸を示す正面図及び斜視図、（ｂ）は本発明の実施形態例３に係る固定部凹を示す正面図及び斜視図、（ｃ）は本発明の実施形態例３に係る固定部材の使用状態を示す斜視説明図、（ｄ）は本発明の実施形態例３に係る固定部材の使用状態を示す側面説明図である。
【図７】本発明の実施形態例４に係る光ファイバーケーブルガイドの応用使用例を示す正面図である。
【図８】本発明の実施形態例５に係る光ファイバーケーブルガイドの応用使用例を示す展開斜視図、斜視説明図、側面説明図である。
【図９】本発明の実施形態例６に係る光ファイバーケーブルガイドを示し、（ａ）は支持部材Ａの拡大斜視図、（ｂ）は展開斜視図、（ｃ）は使用例の斜視説明図である。
【符号の説明】
【００４０】
１…支持部材、２…連結部材、３…取付け保持部、４…固定穴、５…固定部凹、５′…固定部凸、６…光ファイバーケーブル、７…９０度垂直ガイド、８…取付け保持連結部材延長部分、９…固定部。
【図１】
2006301204.tif 000003
【図２】
2006301204.tif 000004
【図３】
2006301204.tif 000005
【図４】
2006301204.tif 000006
【図５】
2006301204.tif 000007
【図６】
2006301204.tif 000008
【図７】
2006301204.tif 000009
【図８】
2006301204.tif 000010
【図９】
2006301204.tif 000011